(57)【要約】【課題】従来の充電器においては充電器に変換プラグを装着したときの変換プラグのロック機構が充電器本体側に設けられた別部品で構成されており部品点数が多くなるという課題があった。本発明は充電器本体側に部品の追加をする必要が無く、部品点数が少なくかつ防水性に優れた充電器を提供することを目的とする。【解決手段】充電器に構成されたＡＣプラグの形態を変換プラグを取り付けることにより異なった形態のＡＣプラグに変換可能とする充電器において、前記変換プラグを前記充電器に固定する係合部と前記係合部の移動を阻止するロック機構が前記変換プラグを構成する部品に一体形成されている。【選択図】図２
2012016228.tif 000002
【特許請求の範囲】
【請求項１】
充電器本体に構成されたＡＣプラグの形態を変換プラグを取り付けることにより異なった形態のＡＣプラグに変換可能とする充電器において、前記変換プラグを前記充電器に固定する係合部と前記係合部の移動を阻止するロック機構が前記変換プラグを構成する部品に一体形成されていることを特徴とする充電器。
【請求項２】
ロック機構がロック爪とロック爪レバーから成る樹脂バネ構造である請求項１記載の充電器。
【請求項３】
ロック機構が変換プラグのボトムプレート上に形成されている請求項１記載の充電器。
【請求項４】
ロック爪に設けられたロック爪レバーの先端が変換プラグのハウジングを貫通して外側へ突き出している請求項１記載の充電器。
【発明の詳細な説明】
【技術分野】
【０００１】
本発明は充電器に構成されたＡＣプラグの形態を変換プラグを取り付けることにより異なった形態のＡＣプラグに変換可能とする充電器に関するものである。
【背景技術】
【０００２】
従来の充電器の一例を図５〜図８に示す。
【０００３】
図５は従来例における変換プラグを装着完了したときの充電器の斜視図である。
【０００４】
図中の矢印Ｄは後述する変換プラグのスライドフックの係合方向を示す。
【０００５】
図６は従来例における充電器の断面図（図５の断面Ａ−Ａにおける断面図）を示す。
【０００６】
図７は従来例における変換プラグの斜視図である。
【０００７】
図８は従来例における変換プラグの装着動作を示す充電器の斜視図である。
【０００８】
図７において２１は変換プラグのプラグピンであり黄銅等の金属製で変換プラグのハウジング２２にインサート成型されている。２２は変換プラグのハウジングでありプラスチック（例えばＰＰＥ、ＰＣ等）で成型されている。２３は変換プラグのボトムプレートでありハウジング２２と同じ材料で成型され、ハウジングの底部に超音波溶着またはビス固定等により固定されている。２４は充電器本体に構成されたＡＣプラグ２９（図８参照）のブレードが挿入されるボトムプレート２３に開けられた挿入口、２５ａ、２５ｂはボトムプレート２３に設けられた変換プラグを充電器本体に固定するためのスライドフックである。
【０００９】
図８において２７はプラスチック製（例えばＰＰＥ、ＰＣ等）の充電器の上ケース、２８は上ケース２７と同じ材質製の充電器の下ケース、２９は充電器本体に設けられたＡＣプラグ、３０ａ、３０ｂは充電器本体側に設けられた変換プラグのスライドフック２５ａ、２５ｂと係合する係合部である。係合部３０ａはＡＣプラグ２９の本体樹脂部分の凹部によって構成されており、係合部３０ｂは上ケース２７と下ケース２８のビス固定用のボスの部分に凸形状で形成されている。
【００１０】
図６において３２は充電器の電気部品が実装される回路基板（電気部品は図示せず）であり上ケース２７と下ケース２８との間に挟持されている。３３はバネ用りん青銅等により形成されたコンタクト端子であり変換プラグのプラグピン１にカシメ等により固定され、充電器のＡＣプラグ２９との導通が確保されている。３１はストッパーであり、変換プラグのスライドフック２５ａ、２５ｂが外れないようにスライドフック２５ｂを係止する位置に設けられ、摺動自在にバネ３４を介して上ケース２７に構成されている。
【００１１】
本断面図は変換プラグを充電器に取り付けたときの断面図であるが、変換プラグの充電器への取付方法としては、まずストッパー３１を充電器の上ケース２７側へ退避させておき、スライドフック２５ａをＡＣプラグ本体樹脂部分の係合部３０ａに係合させ、スライドフック２５ｂを下ケースの係合部３０ｂに係合させた後にストッパー３１がバネ３４により元の位置へ戻されることによりスライドフック２５ｂ部がロックされ充電器と変換プラグとが固定される構成となっている。（例えば、特許文献１  参照）。
【先行技術文献】
【特許文献】
【００１２】
【特許文献１】特開２００７−５２９９８号公報
【発明の概要】
【発明が解決しようとする課題】
【００１３】
しかしながら前記従来の充電器においては変換プラグを充電器に装着した際の変換プラグの取り付けロック機構であるストッパーが充電器側に設けられた別部品で構成されており、ロック機構としての構成が複雑であり、部品点数が多くなるという課題があった。
【００１４】
また、ストッパーが別部品であり、ケースに摺動自在に保持する構造を設ける必要があるため充電器本体の防水性が損なわれ、水の浸入によるショートが発生す可能性が高くなるという課題があった。
【００１５】
本発明は充電器側に部品の追加をする必要が無く、部品点数が少なくかつ防水性に優れた変換プラグ取り付け可能な充電器を提供することを目的とする。
【課題を解決するための手段】
【００１６】
前記従来の課題を解決するために本発明の充電器における変換プラグのロック機構は変換プラグのハウジングに一体形成された樹脂バネ構造をとっている。
【００１７】
また充電器本体側には変換プラグのロック機構が嵌合する溝が設けられている。
【発明の効果】
【００１８】
本発明によると、充電器における変換プラグのロック機構は変換プラグのハウジングに一体形成された樹脂バネ構造をとっている。
【００１９】
従って充電器本体側にロック部品の追加をする必要が無く、部品点数が少ない充電器が提供できる。また、充電器本体に可動なるロック部品を設ける必要がないため、充電器本体の防水性を損なうことが無い充電器を提供することができる。
【図面の簡単な説明】
【００２０】
【図１】本発明の実施の形態に示す充電器の斜視図（変換プラグ装着後）
【図２】本発明の実施の形態に示す充電器の断面図
【図３】本発明の実施の形態に示す変換プラグの斜視図
【図４】本発明の実施の形態に示す充電器の斜視図（変換プラグ装着前）
【図５】従来例における充電器の斜視図（変換プラグ装着後）
【図６】従来例における充電器の断面図
【図７】従来例における変換プラグの斜視図
【図８】従来例における充電器の斜視図（変換プラグ装着前）
【発明を実施するための形態】
【００２１】
以下本発明を実施するための最良の形態について図面を参照しながら説明する。
【００２２】
（実施の形態１）
図１は本発明の実施の形態における変換プラグを装着完了したときの充電器の斜視図である。図中の矢印Ｄは後述する変換プラグのスライドフックの係合動作方向を示す。
【００２３】
図２は本発明の実施の形態における充電器の断面図（図１の断面Ａ−Ａにおける断面図）を示す。
【００２４】
図３は本発明の実施の形態における変換プラグの斜視図である。
【００２５】
図３において１は変換プラグのプラグピンであり黄銅等の金属製で変換プラグのハウジング２にインサート成型されている。２は変換プラグのハウジングでありプラスチック（例えばＰＰＥ、ＰＣ等）で成型されている、３は変換プラグのボトムプレートでありハウジング２と同じ材料で成型され、ハウジングの底部に超音波溶着またはビス固定等により固定されている。４は充電器本体に構成されたＡＣプラグ９（図４参照）のブレードが挿入されるボトムプレート３に開けられた挿入口、５ａ、５ｂはボトムプレート３に設けられた変換プラグを充電器本体に固定するためのスライドフックである。
【００２６】
スライドフック５ａはボトムプレート３上の挿入口４に近い側の辺の中央部に１箇所設けられている。一方スライドフック５ｂはボトムプレート３上のスライドフック５ａの位置する辺と対向する辺側に２箇所設けられ、この２つのリブ同士が補強のためのリブで結合された形状となっている。
【００２７】
６はロック爪であり、ボトムプレート３の一部分を厚さ約１ｍｍの薄肉とし、この部分に長さ約８ｍｍ幅約３ｍｍの板バネ形状をしたロック爪６を形成している。このロック爪６にロック爪レバー１４をハウジング２を貫通してハウジングの外側にロック爪レバー１４の先端が露出するように設け（図４参照）、レバー操作によりロック爪６が移動可能に構成されている。
【００２８】
図４は本発明の実施の形態における変換プラグを装着する前の充電器の斜視図である。７はプラスチック製（例えばＰＰＥ、ＰＣ等）の充電器の上ケース、８は上ケース７と同じ材質製の充電器の下ケース、９は充電器本体に設けられたＡＣプラグ、１０ａ、１０ｂは充電器本体側に設けられた変換プラグのスライドフック５ａ、５ｂと係合するスライドロック溝である。スライドロック溝１０ａはＡＣプラグ２９が収納される下ケース８の凹形状部奥側の壁面位置に構成されており、スライドロック溝３０ｂは同収納部の外側の端に溝形状で構成されている。１１はロック爪係合溝であり変換プラグの充電器への取り付け動作が完了したときにロック爪６が係合することによりスライドフックの係合のはずれを防止している。
【００２９】
図２において１２は充電器の回路が実装される基板（部品は図示せず）であり上ケース７と下ケース８との間に挟持されている。１３はバネ用りん青銅等により形成されたコンタクト端子であり変換プラグのプラグピン１にカシメ等により固定され、充電器のＡＣプラグ２９との導通が確保されている。
【００３０】
同図を用いて本実施の形態における充電器の特徴を詳細に説明する。
【００３１】
本発明における充電器は充電器本体を携帯するときにはＡＣプラグ９が下ケース８の凹部に倒しこまれた位置で保持される。このために携帯性にすぐれたＡＣプラグ構造となっている。電池を充電する際にＡＣプラグ９をＡＣコンセントに差し込む場合はＡＣプラグは充電器と９０度の方向へ引き出された位置にて保持される。いまこのＡＣプラグが引き出された状態において変換プラグを取り付ける動作を行う。
【００３２】
変換プラグの挿入口４に充電器のＡＣプラグの刃を挿入する形で変換プラグを充電器下ケース８に当接させる。次に変換プラグを図１のＤ方向へスライドさせることにより変換プラグのスライドフック５ａ，５ｂと充電器のスライドロック溝１０ａ，１０ｂとが係合を開始する。
【００３３】
それと同時にロック爪６のボトムプレート３の底面から飛び出た部分がロック爪の弾性変形により押し上げられ退避する。そしてスライドフック５ａ，５ｂの係合動作が完了すると同時に下ケース８に設けられたロック爪係合溝１１と変換プラグのロック爪６のボトムプレート３の底面から飛び出た部分の位置が合致し、ロック爪６がその弾性により押し戻されてロック爪係合溝１１に係合する。これによりスライドフック５ａ，５ｂが抜けることを防止する構成になっている。
【００３４】
一方変換プラグを充電器から取り外す際には、ロック爪レバー１４を指で引き上げることによりロック爪６とロック爪係合溝１１との係合が解除される。次に変換プラグをＤ方向とは逆の方向へスライドさせることによりスライドフック５ａ，５ｂの係合が解除されて充電器本体から変換プラグを取り外すことができる。
【００３５】
このように、並行刃のＡＣプラグ付き充電器をベースとして、各国のＡＣプラグ形状をした変換プラグを組替えることで容易に各国対応の充電器にすることができるものである。
【産業上の利用可能性】
【００３６】
本発明にかかる充電器における変換プラグのロック機構は変換プラグのハウジングに一体形成された樹脂バネ構造をとっているため充電器側にロック部品の追加をする必要が無く、部品点数が少ない変換プラグ機構が提供できる充電器として有用である。
【００３７】
また、充電器本体側に可動なるロック部品を構成する必要がないため、充電器の防水性を損なうことが無い充電器を提供することができる。
【符号の説明】
【００３８】
１      プラグピン
２      ハウジング
３      ボトムプレート
４      挿入口
５ａ    スライドフック
５ｂ    スライドフック
６      ロック爪
７      上ケース
８      下ケース
９      ＡＣプラグ
１０ａ  スライドロック溝
１０ｂ  スライドロック溝
１１    ロック爪係合溝
１２    回路基板
１３    コンタクト端子
１４    ロック爪レバー
【図１】
2012016228.tif 000003
【図２】
2012016228.tif 000004
【図３】
2012016228.tif 000005
【図４】
2012016228.tif 000006
【図５】
2012016228.tif 000007
【図６】
2012016228.tif 000008
【図７】
2012016228.tif 000009
【図８】
2012016228.tif 000010